(57)【要約】【課題】１次記憶装置にファイルを格納する要求があり、それだけの空き記憶容量がない場合に、ファイルの格納を可能とするファイル管理装置を提供する。【解決手段】ファイル管理装置１５は、１次記憶装置１３に格納されたファイルの一覧を出力装置６へ表示し、その中から選択されたファイルを２次記憶装置１４へ移動して１次記憶装置１３に空き記憶容量を作成することにより、または、書き込み先を２次記憶装置１４に変更することにより、ファイルの格納を行う。【選択図】　図１
2004110228.tif 000002
【特許請求の範囲】
【請求項１】
１次記憶手段に格納されるファイル及び２次記憶手段に格納されるファイルを管理するファイル管理装置であって、
前記１次記憶手段へ新規ファイルを格納する際、前記１次記憶手段の空き記憶容量不足の為に前記新規ファイルの格納が不可能な場合、
前記空き記憶容量不足時の設定に従い、前記１次記憶手段に格納されたファイルの識別子の一覧を表示し、
前記一覧表示した識別子の中から選択された識別子で識別されるファイルを前記１次記憶手段から前記２次記憶手段へ移動し、
前記新規ファイルを前記１次記憶手段へ格納することを特徴とするファイル管理装置。
【請求項２】
１次記憶手段に格納されるファイル及び２次記憶手段に格納されるファイルを管理するファイル管理装置であって、
前記１次記憶手段へ新規ファイルを格納する際、前記１次記憶手段の空き記憶容量不足の為に前記新規ファイルの格納が不可能な場合、
前記新規ファイルを前記空き記憶容量不足時の設定に従って前記２次記憶手段へ格納することを特徴とするファイル管理装置。
【請求項３】
１次記憶手段に格納されるファイル及び２次記憶手段に格納されるファイルを管理するファイル管理方法であって、
前記１次記憶手段へ新規ファイルを格納する際、前記１次記憶手段の空き記憶容量不足の為に前記新規ファイルの格納が不可能な場合、
前記空き記憶容量不足時の設定に従い、前記１次記憶手段に格納されたファイルの識別子の一覧を表示し、
前記一覧表示した識別子の中から選択された識別子で識別されるファイルを前記１次記憶手段から前記２次記憶手段へ移動し、
前記新規ファイルを前記１次記憶手段へ格納することを特徴とするファイル管理方法。
【請求項４】
１次記憶手段に格納されるファイル及び２次記憶手段に格納されるファイルを管理するファイル管理方法であって、
前記１次記憶手段へ新規ファイルを格納する際、前記１次記憶手段の空き記憶容量不足の為に前記新規ファイルの格納が不可能な場合、
前記新規ファイルを前記空き記憶容量不足時の設定に従って前記２次記憶手段へ格納することを特徴とするファイル管理方法。
【請求項５】
入力手段と、
出力手段と、
１次記憶手段と、
２次記憶手段と、
前記１次記憶手段に格納されるファイル及び前記２次記憶手段に格納されるファイルを管理するファイル管理手段とを具備し、
前記ファイル管理手段は、前記１次記憶手段へ新規ファイルを格納する際、前記１次記憶手段の空き記憶容量不足の為に前記新規ファイルの格納が不可能な場合、
前記空き記憶容量不足時の設定に従い、前記１次記憶手段に格納されたファイルの識別子の一覧を前記出力手段に表示し、
前記一覧表示した識別子の中から前記入力手段によって選択された識別子で識別されるファイルを前記１次記憶手段から前記２次記憶手段へ移動し、
前記新規ファイルを前記１次記憶手段へ格納することを特徴とする情報処理装置。
【請求項６】
入力手段と、
出力手段と、
１次記憶手段と、
２次記憶手段と、
前記１次記憶手段に格納されるファイル及び前記２次記憶手段に格納されるファイルを管理するファイル管理手段とを具備し、
前記ファイル管理手段は、前記１次記憶手段へ新規ファイルを格納する際、前記１次記憶手段の空き記憶容量不足の為に前記新規ファイルの格納が不可能な場合、
前記新規ファイルを格納する設定の選択肢を前記出力手段に表示し、
前記入力手段によって選択された前記格納の設定に従い、前記１次記憶手段に格納されたファイルを前記２次記憶手段へ移動する設定の選択肢、及び前記１次記憶手段に格納されたファイルの識別子の一覧を前記出力手段に表示し、
前記入力手段によって選択された前記移動の設定に従い、前記一覧表示した識別子の中から前記入力手段によって選択された識別子で識別されるファイルを前記１次記憶手段から前記２次記憶手段へ移動し、
前記新規ファイルを前記１次記憶手段へ格納することを特徴とする情報処理装置。
【請求項７】
写真撮影手段を更に具備し、
前記新規ファイルは、前記写真撮影手段によって入力された画像データが格納されたファイルであることを特徴とする請求項５または請求項６記載の情報処理装置。
【発明の詳細な説明】
【０００１】
【発明の属する技術分野】
本発明は、ファイル管理装置、ファイル管理方法及び情報処理装置に係り、特に、複数の記憶装置を対象としたファイル管理に関する。
【０００２】
【従来の技術】
携帯電話などの移動通信端末装置には、撮影した写真の画像データファイルや、ブラウザ装置がダウンロードしたファイルなどを格納する記憶装置が設けられている。この記憶装置として、ＲＡＭ（読み書きが可能な半導体メモリ）が用いられている。しかし、ＲＡＭの記憶容量が必ずしも充分な大きさでないことや、ＲＡＭに格納されたファイルを他の移動通信端末装置へ移動するのに複雑な操作が必要である、などの理由により、ＳＤメモリーカードやスマートメディア（登録商標）などの取り外し可能なメモリーカードが用いられる様になっている。
【０００３】
ここで、ＲＡＭは読み書きに必要な時間が短いため、１次記憶装置として、また、メモリーカードは読み書きに必要な時間が長く、更に、取り外されている可能性もあるため、２次記憶装置として用いられる。即ち、移動通信端末装置に組み込まれている応用システム装置は、１次記憶装置に格納されたファイルを対象として動作することが実行速度の点から望ましい。更には、一部の応用システム装置は、１次記憶装置に格納されたファイルのみを対象として動作する。
【０００４】
そのため、利用者は、応用システム装置がファイルを書き込むだけの空き記憶容量を１次記憶装置に確保すべく、常にその空き記憶容量を把握し、もしそれが乏しい場合には、１次記憶装置に格納されたファイルの削除や、２次記憶装置への移動を行う必要があった。
【０００５】
しかし、移動通信端末装置の利用者にとって、応用システム装置を利用する度に、ファイルを書き込むだけの空き記憶容量を１次記憶装置に確保することは移動通信機能の利用とは全く異質な操作であり、わずらわしく、その都度実行するような習慣がなかった。
【０００６】
その結果、例えば、写真撮影の応用システム装置を起動した際に、それが撮影した写真の画像データファイルを格納する１次記憶装置の空き記憶容量がなく、撮影した写真の画像データを意に反して廃棄せざるを得ないことがあった。
【０００７】
そこで、記憶装置にファイル書き込みの空き記憶容量がない場合に、ファイルの削除などによってそれを作成する方法が開示されている。従来の方法は、ファイルの作成の度に、それが削除可能であるか否かを識別する情報を付加して記憶し、新規ファイル書き込みの空き記憶容量がない場合には、その情報に基づいて削除可能なファイルを削除するなどしている（例えば、特許文献１参照。）。
【０００８】
【特許文献１】
特開平７−１３８１７号公報（第２頁、図１）
【０００９】
【発明が解決しようとする課題】
しかしながら、上述した従来の方法では、ファイルの作成の度にそれが削除可能であるか否かを判断することが困難であるばかりでなく、それの入力に手間を要する問題点があった。
【００１０】
本発明は、上記問題点を解決するためになされたものであって、応用システム装置がファイルを書き込むだけの空き記憶容量が１次記憶装置にない場合にも、ファイルの書き込みを可能とするファイル管理装置、ファイル管理方法及び情報処理装置を提供することを目的とする。
【００１１】
【課題を解決するための手段】
上記目的を達成するために、本発明のファイル管理装置は、１次記憶手段に格納されるファイル及び２次記憶手段に格納されるファイルを管理するファイル管理装置であって、前記１次記憶手段へ新規ファイルを格納する際、前記１次記憶手段の空き記憶容量不足の為に前記新規ファイルの格納が不可能な場合、前記空き記憶容量不足時の設定に従い、前記１次記憶手段に格納されたファイルの識別子の一覧を表示し、前記一覧表示した識別子の中から選択された識別子で識別されるファイルを前記１次記憶手段から前記２次記憶手段へ移動し、前記新規ファイルを前記１次記憶手段へ格納することを特徴とする。
【００１２】
本発明によれば、１次記憶装置にファイル書き込みの空き記憶容量がない場合に、自動的に１次記憶装置に格納されたファイルを２次記憶装置へ移動して上記空き記憶容量を作成することにより、ファイル書き込みができる。
【００１３】
また、本発明のファイル管理装置は、１次記憶手段に格納されるファイル及び２次記憶手段に格納されるファイルを管理するファイル管理装置であって、前記１次記憶手段へ新規ファイルを格納する際、前記１次記憶手段の空き記憶容量不足の為に前記新規ファイルの格納が不可能な場合、前記新規ファイルを前記空き記憶容量不足時の設定に従って前記２次記憶手段へ格納することを特徴とする。
【００１４】
本発明によれば、１次記憶装置にファイル書き込みの空き記憶容量がない場合に、自動的に書き込み先を２次記憶装置に変更することにより、ファイル書き込みができる。
【００１５】
【発明の実施の形態】
以下に、本発明によるファイル管理装置の実施の形態を、移動通信端末装置を例として、図面を参照して説明する。
【００１６】
図１は、本発明の実施形態に係る移動通信端末装置を示すブロック図である。この移動通信端末装置は、装置全体の制御を行う制御装置１と、アンテナ２ａと、通信装置２ｂと、送受信装置３と、スピーカ４ａと、マイク４ｂと、通話装置４ｃと、利用者からの操作指示を入力する入力装置５と、利用者へ情報の提示を行う出力装置６と、写真を撮影する写真撮影装置１１と、記憶装置１２と、ファイル管理装置１５とからなる。記憶装置１２は、１次記憶装置１３と、２次記憶装置１４とからなる。
【００１７】
図２は、写真撮影装置１１の詳細な構成を示すブロック図である。写真撮影装置１１は、撮影を行うカメラ２１と、このカメラ２１を制御する画像入力装置２２と、画像データが格納される入力画像バッファ２３とからなる。入力画像バッファ２３へ格納された画像データは、１次記憶装置１３に画像ファイル２４として格納される。
【００１８】
（第１の実施の形態）
上記のように構成された、本発明の実施形態に係る移動通信端末装置の動作を説明する。通信装置２ｂは、アンテナ２ａが受信した高周波信号を送受信装置３へ出力し、また、送受信装置３が出力する高周波信号をアンテナ２ａより送信する。
【００１９】
次に、送受信装置３の動作を説明する。送受信装置３は、通信装置２ｂからの高周波信号を増幅、周波数変換及び復調し、それによって得たデジタル音声信号を通話装置４ｃへ、また、制御信号を制御装置１へ送る。更には、通話装置４ｃが出力するデジタル音声信号、及び制御装置１が出力する制御信号を変調、周波数変換及び増幅し、高周波信号を得てそれを通信装置２ｂへ送る。
【００２０】
次に、通話装置４ｃの動作を説明する。通話装置４ｃは、送受信装置３が出力するデジタル音声信号をアナログ音声信号に変換し、それを増幅してスピーカ４ａに送る。また、マイク４ｂが出力するアナログ音声信号を増幅し、それをデジタル音声信号に変換して送受信装置３に送る。
【００２１】
次に、入力装置５の動作を説明する。入力装置５は、複数のキーからなり、制御装置１の起動により動作を開始し、利用者が操作したキーを識別するコードを制御装置１へ通知して動作を終了する。
【００２２】
次に、出力装置６の動作を説明する。出力装置６は、例えばＬＣＤの表示装置であり、制御装置１より起動されることにより、表示動作を開始する。入力装置５からの入力操作に応答して制御装置１より起動されるまで、同じ表示動作を続ける。
【００２３】
次に、写真撮影装置１１の動作を説明する。写真撮影装置１１は、利用者の入力装置５を用いた指示に基づいて、制御装置１が写真撮影装置１１の画像入力装置２２を起動することにより動作を開始する。画像入力装置２２は、カメラ２１に指示して、カメラ２１から撮影した画像を表す信号を受信する。そして、それを画像データ形式に変換して、入力画像バッファ２３へ格納して、撮影の完了を制御装置１に伝えて、動作を終了する。ここで、上記画像は、静止画像であっても動画像であっても良い。
【００２４】
次に、１次記憶装置１３、２次記憶装置１４にファイルを格納するファイルシステムの形式を、図３を参照して説明する。ファイルシステムは、１次記憶装置１３、２次記憶装置１４の各々に構築され、格納されているファイルの性質が格納されるディレクトリ部と、ファイルの実体が格納されるファイル部とから構成される。
【００２５】
図３（ａ）はファイルシステムのディレクトリ部の一例を示す。図３（ａ）で、１行が１つのファイルの性質を表すデータを示しており、本実施形態では、それぞれがファイル名３１ａ、開始アドレス３１ｂ、大きさ３１ｃ、作成日時３１ｄの各属性から構成されている。
【００２６】
ここで、ファイル名３１ａの値は、そのファイルを識別する名称を表し、開始アドレス３１ｂの値は、そのファイルの先頭が格納されるファイル部３２ｂのアドレスを表し、大きさ３１ｃの値は、そのファイルの大きさを表し、作成日時３１ｄの値は、そのファイルが作成された日時を表す。
【００２７】
図３（ｂ）はファイルシステムのファイル部３２ｂの一例を示す。本実施形態では、ファイル部３２ｂにはアドレス３２ａが付与され、各ファイルは、アドレス３２ａが開始アドレス３１ｂの値で表される位置から大きさ３１ｃの値で表される範囲にわたって格納される。例えば、画像−１は、開始アドレス「１」から３ブロック（大きさ「３」）のアドレス「３」の間に格納されている。
【００２８】
各ファイルは、移動通信端末装置の出荷時に作成されるものであっても良い。また、写真撮影装置１１によって作成された画像ファイル２４であっても良い。また、ブラウザ装置（図示せず）がダウンロードすることによって得たファイルであっても良い。更には、メール装置（図示せず）が受信したメールの添付ファイルとして得たファイルであっても良い。
【００２９】
次に、ファイル管理装置１５の動作を説明する。ファイル管理装置１５は、上述したファイルシステム形式に従って、１次記憶装置１３、２次記憶装置１４から指定されたファイルを削除することと、与えられたファイルを１次記憶装置１３、２次記憶装置１４へ格納する制御を行うことを目的とする。
【００３０】
まず、１次記憶装置１３、２次記憶装置１４からファイルを削除する際のファイル管理装置１５の制御動作を説明する。ファイル管理装置１５は、制御装置１によって起動されることによりファイル削除の動作を行う。即ち、指定されたファイルに対応してディレクトリ部に格納されたファイルの性質を表す情報を削除することにより当該ファイルを削除して、動作を終了する。
【００３１】
図４は、１次記憶装置１３へ画像データ等のファイルを格納する際の、ファイル管理装置１５の制御動作のフローチャートを示す。まず、ファイル管理装置１５は、制御装置１によって起動されることによりファイル格納の動作を開始する（ステップ４１ａ）。制御装置１は、例えば、画像入力装置２２より撮影を完了した旨の通知を受けた際に、入力画像バッファ２３に格納された画像データを画像ファイル２４として１次記憶装置１３へ格納させるため、ファイル管理装置１５を起動する。
【００３２】
続いて、ファイル管理装置１５は、１次記憶装置１３に与えられた画像ファイルを格納できる空き記憶容量があるか否かを、ディレクトリ部（図３（ａ）参照）に格納されたファイルの大きさ３１ｃの値、及び１次記憶装置１３の総記憶容量によって調べる（ステップ４１ｂ）。
【００３３】
もし、１次記憶装置１３に与えられた画像ファイルを格納する空き記憶容量があれば、その画像ファイルをファイル部３２ｂ（図３（ｂ）参照）へ書出し、更に、ディレクトリ部にその画像ファイルの性質を表すデータを加えることによって、与えられた画像ファイルを１次記憶装置１３に格納して（ステップ４１ｆ）、終了する（ステップ４１ｇ）。
【００３４】
一方、１次記憶装置１３に与えられた画像ファイルを格納する空き記憶容量がなければ、利用者の要求が、「格納せず」（与えられた画像ファイルを１次記憶装置１３に格納しない要求）、「削除」（１次記憶装置１３に格納されているファイルを削除した上で与えられた画像ファイルを格納する要求）、「移動」（１次記憶装置１３に格納されているファイルを２次記憶装置１４へ移動した上で与えられた画像ファイルを格納する要求）、のいずれであるかを調べる（ステップ４１ｃ）。
【００３５】
具体的には、まず、出力装置６に、例えば図５（ａ）に示す格納の有無の選択画面４２を表示する。利用者が、格納の有無の選択画面４２に含まれる入力ガイド４２ａに従って、入力装置５の十字キー（図示せず）を左方向に操作することにより、格納すること、即ち、利用者の要求が「削除」または「移動」であることが設定される。また、右方向へ操作することにより、格納しないこと、即ち、利用者の要求が「格納せず」であることが設定される。
【００３６】
もし、「削除」または「移動」であることが設定された場合には、次に、出力装置６に、例えば図５（ｂ）に示すファイルの選択画面４３を表示する。ファイルの選択画面４３には、１次記憶装置１３に格納されたファイルのファイル名３１ａを列挙したファイル一覧４３ａを含み、利用者が入力装置５の十字キー（図示せず）を上下方向に操作し、カーソル位置をあるファイル名の位置に移動し、入力装置５の確定キー（図示せず）を操作することにより、「削除」または「移動」を希望するファイルが指定される。
【００３７】
ここで、ファイル一覧４３ａにおけるファイル名の表示の順序は、例えばそのファイル名３１ａの値の文字コードの順であるが、その大きさ３１ｃの値の順（例えば、大きい順又は少ない順）であっても良い。また、その作成日時３１ｄの値の順（例えば、古い日付順又は新しい日付順）であっても良い。更に、ファイルシステムのディレクトリ部に各ファイルが最後に読み書きされた日時をもファイルの性質の一部として格納し、その日時順であっても良い。
【００３８】
また、出力装置６の画面の大きさの制限によりファイル一覧４３ａの全てを画面に表示することができなければ、一時にはその一部を画面に表示し、スクロールによってファイル一覧４３ａの全てを表示する。
【００３９】
続けて、ファイル管理装置１５は、出力装置６に、例えば図５（ｃ）に示す削除／移動の選択画面４４を表示する。利用者が削除／移動の選択画面４４に含まれる入力ガイド４４ａに従って、入力装置５の十字キー（図示せず）を左方向に操作することにより、利用者からの要求が「削除」であること、また、右方向へ操作することにより、「移動」であることが設定される。
【００４０】
ここで、ファイル管理装置１５は、削除／移動の選択画面４４を表示した後にファイルの選択画面４３を表示し、利用者からの要求が「削除」であるか「移動」であるかが設定された後に、「削除」または「移動」するファイルが指定されるとしてもよい。
【００４１】
更に、ファイル管理装置１５は、ファイルの選択画面４３と削除／移動の選択画面４４を一体とした画面を表示し、「削除」または「移動」するファイルの指定に併せてそれに対する要求が「削除」であるか「移動」であるかが設定されるとしてもよい。
【００４２】
ステップ４１ｃにおける上記の動作によって、利用者の要求が判断可能となるので、それが「格納せず」の場合には、ファイル管理装置１５は、ファイルの格納動作を行うことなく、直ちに動作を終了する（ステップ４１ｇ）。ここで、ファイル管理装置１５は、与えられた画像ファイルを１次記憶装置１３へではなく、２次記憶装置１４へ格納しても良い。
【００４３】
一方、それが「削除」の場合には、ファイルの選択画面４３のファイル一覧４３ａを用いて指定されたファイルを１次記憶装置１３より削除して（ステップ４１ｄ）、上述した通り、与えられた画像ファイルを１次記憶装置１３に格納して（ステップ４１ｆ）、終了する（ステップ４１ｇ）。
【００４４】
更に、利用者の要求が「移動」の場合には、ファイルの選択画面４３のファイル一覧４３ａを用いて指定されたファイルを１次記憶装置１３より２次記憶装置１４へ移動（移動したファイルは１次記憶装置から削除）して（ステップ４１ｅ）、与えられた画像ファイルを１次記憶装置１３に格納して（ステップ４１ｆ）、終了する（ステップ４１ｇ）。
【００４５】
本実施形態では、利用者の要求に従って、ファイル管理装置１５が「格納せず」、「削除」、「移動」のいずれかの動作を行うとしたが、ファイル管理装置１５が１次記憶装置１３の使用状態から独自に設定しても良い。また、ファイル管理装置１５が設定し、それを利用者が承認または修正しても良い。
【００４６】
更に、ファイル管理装置１５が削除または移動するファイルを予め設定された基準に従い選択しても良い。また、ファイル管理装置１５が削除または移動するファイルを予め設定された基準に従い決定し、それを利用者が承認または修正しても良い。ファイル管理装置１５が行う削除または移動するファイルの選択基準は、作成日時の古い順であっても良く、また、最後に読み書きがされた日時の古い順であっても良い。
【００４７】
次に、ファイルを２次記憶装置１４へ格納する際の、ファイル管理装置１５の制御動作を説明する。ファイルを２次記憶装置１４へ格納する際のファイル管理装置１５の動作は、上述した画像ファイルを１次記憶装置１３へ格納する動作と同様である。
【００４８】
しかし、２次記憶装置１４に与えられたファイルを格納する空き記憶容量がない場合には、２次記憶装置１４に空き記憶容量を作成することはしない。そこで、２次記憶装置１４の制御では、図４のステップ４１ｃ〜４１ｅは不要であり、２次記憶装置１４に与えられたファイルを格納する空き記憶容量がない場合には直ちにステップ４１ｇで動作を終了する。
【００４９】
（第２の実施の形態）
以下に、本発明による移動通信端末装置の第２の実施の形態に係る動作を、第１の実施の形態に係る動作との差を中心に、図面を参照して説明する。第２の実施形態においては、画像ファイルを１次記憶装置１３へ格納する際の、ファイル管理装置１５の動作の設定が第１の実施形態とは異なる。
【００５０】
図６は、画像ファイルを１次記憶装置１３へ格納する際の、第２の実施形態のファイル管理装置１５の制御動作のフローチャートを示す。まず、ファイル管理装置１５は、制御装置１によって起動されることによりファイル格納の動作を開始する（ステップ５１ａ）。続いて、図４のステップ４１ｂと同様に、１次記憶装置１３に与えられた画像ファイルを格納できる空き記憶容量があるかを調べる（ステップ５１ｂ）。
【００５１】
もし、１次記憶装置１３に与えられた画像ファイルを格納する空き記憶容量があれば、ステップ４１ｆと同様に、その画像ファイルを１次記憶装置１３へ格納して（ステップ５１ｃ）、終了する（ステップ５１ｅ）。
【００５２】
一方、１次記憶装置１３に与えられた画像ファイルを格納する空き記憶容量がなければ、与えられた画像ファイルを２次記憶装置１４へ格納して（ステップ５１ｄ）、終了する（ステップ５１ｅ）。
【００５３】
なお、以上の実施形態では、記憶装置１２は、１次記憶装置１３及び２次記憶装置１４の２つの記憶装置から構成されているとしたが、３つ以上の記憶装置から構成されていても良い。更には、記憶装置は、無線経由、または、ネットワーク経由で移動通信端末装置に取りつけられるものであっても良い。本発明は以上の構成に限定されるものではなく、種々の変形が可能である。
【００５４】
【発明の効果】
以上述べたように、本発明によれば、１次記憶装置にファイル書き込みの空き記憶容量がない場合に、１次記憶装置に格納されたファイルを２次記憶装置へ移動して上記空き記憶容量を作成することにより、または、書き込み先を２次記憶装置に変更することにより、ファイル書き込みができる。
【図面の簡単な説明】
【図１】本発明の実施形態に係る移動通信端末装置を示すブロック図。
【図２】本発明の実施形態に係る写真撮影装置を示すブロック図。
【図３】本発明の実施形態に係るファイルシステムの形式。
【図４】本発明の第１の実施形態に係るファイル管理装置のフローチャート。
【図５】本発明の第１の実施形態に係るファイル管理に関する利用者の要求を確認するための画面。
【図６】本発明の第２の実施形態に係るファイル管理装置のフローチャート。
【符号の説明】
５　入力装置
６　出力装置
１１　写真撮影装置
１２　記憶装置
１３　１次記憶装置
１４　２次記憶装置
１５　ファイル管理装置
２１　カメラ
２２　画像入力装置
２３　入力画像バッファ
２４　画像ファイル
３１ａ　ファイル名
３１ｂ　開始アドレス
３１ｃ　大きさ
３１ｄ　作成日時
３２ａ　アドレス
３２ｂ　ファイル部
４２　格納の有無の選択画面
４２ａ　入力ガイド
４３　ファイルの選択画面
４３ａ　ファイル一覧
４４　削除／移動の選択画面
４４ａ　入力ガイド
【図１】
2004110228.tif 000003
【図２】
2004110228.tif 000004
【図３】
2004110228.tif 000005
【図４】
2004110228.tif 000006
【図５】
2004110228.tif 000007
【図６】
2004110228.tif 000008